(57)【要約】【課題】Ｘ線撮影システムによる制御の複雑化を回避する。【解決手段】被検体Ｈを透過したＸ線を検出してＸ線画像を得る、複数のＸ線画像検出器（第１のＦＰＤ１２０−１及び第２のＦＰＤ１２０−２）と、第１のＦＰＤ１２０−１及び第２のＦＰＤ１２０−２の制御を行う制御部（ＰＣ１５０ａ）と、第１のＦＰＤ１２０−１がＸ線検出可能状態に遷移したことを第２のＦＰＤ１２０−２に伝達する通信部（アクセスポイント１５０ｂ等）とを備え、第１のＦＰＤ１２０−１がＸ線検出可能状態に遷移した際に、第２のＦＰＤ１２０−２はＸ線検出可能状態に遷移する。【選択図】図１
2015126806.tif 000002
【特許請求の範囲】
【請求項１】
被検体を透過した放射線を検出して放射線画像を得る、複数の放射線画像検出器と、
前記複数の放射線画像検出器の制御を行う制御部と、
前記複数の放射線画像検出器のうちの第１の放射線画像検出器が放射線検出可能状態に遷移したことを第２の放射線画像検出器に伝達する通信部と
を備え、
前記第１の放射線画像検出器が放射線検出可能状態に遷移した際に、前記第２の放射線画像検出器は放射線検出可能状態に遷移することを特徴とする放射線撮影システム。
【請求項２】
前記第２の放射線画像検出器は、前記通信部による前記伝達を受けてから所定時間だけ遅延して前記放射線検出可能状態に遷移すること特徴とする請求項１に記載の放射線撮影システム。
【請求項３】
前記第２の放射線画像検出器は、前記通信部による前記伝達を受けると同時に前記放射線検出可能状態に遷移すること特徴とする請求項１に記載の放射線撮影システム。
【請求項４】
前記第１の放射線画像検出器および前記第２の放射線画像検出器は、前記制御部による制御とは独立して前記放射線検出可能状態に遷移すること特徴とする請求項１乃至３のいずれか１項に記載の放射線撮影システム。
【請求項５】
前記制御部は、前記複数の放射線画像検出器における各放射線画像検出器から前記放射線画像を取得する制御を行うことを特徴とする請求項１乃至４のいずれか１項に記載の放射線撮影システム。
【請求項６】
前記被検体の放射線撮影の際には、前記複数の放射線画像検出器のうちのいずれかの放射線画像検出器が前記放射線検出可能状態となっていることを特徴とする請求項１に記載の放射線撮影システム。
【請求項７】
前記被検体の放射線撮影の際の或るタイミングでは、前記複数の放射線画像検出器のうちの２つ以上の放射線画像検出器が前記放射線検出可能状態となっていることを特徴とする請求項１に記載の放射線撮影システム。
【請求項８】
前記複数の放射線画像検出器における各放射線画像検出器には、放射線撮影の準備が完了しているかどうかを示す撮影準備完了表示部が設けられていることを特徴とする請求項１乃至７のいずれか１項に記載の放射線撮影システム。
【請求項９】
前記複数の放射線画像検出器における各放射線画像検出器に対応して設けられ、対応する放射線画像検出器が放射線撮影の準備が完了しているかどうかを示す撮影準備完了表示部を更に有することを特徴とする請求項１乃至７のいずれか１項に記載の放射線撮影システム。
【請求項１０】
前記被検体に対して放射線を照射する放射線発生部を更に有し、
前記複数の放射線画像検出器における各放射線画像検出器は、前記放射線発生部と通信可能に構成されており、前記放射線発生部から、前記被検体に放射線を照射するタイミングに係るタイミング情報を受信し、当該タイミング情報に基づいて前記被検体を透過した放射線を検出して前記放射線画像を得ることを特徴とする請求項１乃至９のいずれか１項に記載の放射線撮影システム。
【請求項１１】
前記制御部は、前記複数の放射線画像検出器における各放射線画像検出器に対して前記被検体の検査情報を送信し、
前記各放射線画像検出器は、当該被検体の前記放射線画像とともに前記検査情報を前記制御部に送信することを特徴とする請求項１乃至１０のいずれか１項に記載の放射線撮影システム。
【請求項１２】
前記各放射線画像検出器には、前記検査情報を表示する検査情報表示部が設けられていることを特徴とする請求項１１に記載の放射線撮影システム。
【請求項１３】
前記制御部は、前記複数の放射線画像検出器を複数のグループに分け、前記グループごとに異なる前記検査情報を送信することを特徴とする請求項１１または１２に記載の放射線撮影システム。
【請求項１４】
前記制御部は、前記各放射線画像検出器から取得した前記放射線画像を、前記検査情報に応じて管理することを特徴とする請求項１３に記載の放射線撮影システム。
【請求項１５】
前記被検体に対して放射線を照射する放射線発生部を更に有し、
前記放射線発生部から前記被検体を介して前記複数の放射線画像検出器に放射線を照射し、前記複数の放射線画像検出器において複数の前記放射線画像を得ることを特徴とする請求項１乃至１４のいずれか１項に記載の放射線撮影システム。
【請求項１６】
前記制御部は、前記複数の放射線画像検出器から前記複数の放射線画像を取得し、当該複数の放射線画像を合成して、合成放射線画像を生成することを特徴とする請求項１５に記載の放射線撮影システム。
【請求項１７】
被検体を透過した放射線を検出して放射線画像を得る、複数の放射線画像検出器と、前記複数の放射線画像検出器の制御を行う制御部と、前記複数の放射線画像検出器のうちの第１の放射線画像検出器が放射線検出可能状態に遷移したことを第２の放射線画像検出器に伝達する通信部とを有して構成された放射線撮影システムの制御方法であって、
前記第１の放射線画像検出器が放射線検出可能状態に遷移した際に、前記第２の放射線画像検出器は放射線検出可能状態に遷移することを特徴とする放射線撮影システムの制御方法。
【発明の詳細な説明】
【技術分野】
【０００１】
本発明は、被検体の放射線撮影を行う放射線撮影システム及びその制御方法に関するものである。なお、本明細書においては、本発明に係る放射線として、Ｘ線を適用した例について説明を行うが、本発明においては、このＸ線に限らず、例えばα線、β線、γ線等の他の放射線を適用することも可能である。
【背景技術】
【０００２】
近年、人体もしくは物体等の被検体を透過したＸ線のＸ線強度の空間分布を画像化することにより得られる、被検体の内部構造を観察するためのＸ線画像は、デジタル画像が一般化している。特に、医療や非破壊検査の分野では、比較的大きな被検体の内部構造を観察するためのデジタル画像を取得するＸ線画像検出器として、フラット・パネル・ディテクター（Ｆｌａｔ  Ｐａｎｅｌ  Ｄｅｔｅｃｔｏｒ：以下、「ＦＰＤ」と称する）が用いられている。このＦＰＤでは、広範囲のＸ線強度分布をデジタル化したデジタルＸ線画像を得ることができる。
【０００３】
デジタル画像の一般的な特徴は、画像情報を損傷することなく正確かつ高速に伝送できることである。また、近年の無線技術の発展により、バッテリ動作する可搬型ＦＰＤで取得されたデジタルＸ線画像データを観察・保存・管理するためのコンピュータシステムへ無線伝送することも可能となっており、より自由度の高いＸ線撮影が可能となっている。
【０００４】
近年、可搬型ＦＰＤの取り扱いの簡易化と低価格化により、例えば、下記の特許文献１〜３に開示されているように、複数の可搬型ＦＰＤを利用したＸ線撮影システムも提案されている。
【０００５】
また、例えば、下記の特許文献４に開示されているように、Ｘ線発生装置と可搬型ＦＰＤの同期用信号線の接続を行うことなく、発生するＸ線を自動検知することでＸ線撮影をすることも可能となってきている。
【先行技術文献】
【特許文献】
【０００６】
【特許文献１】特許第４７０８５５９号公報
【特許文献２】特開２０１１−２３５０９３号公報
【特許文献３】特開２０００−３５０７１８号公報
【特許文献４】特開平１１−１５５８４７号公報
【発明の概要】
【発明が解決しようとする課題】
【０００７】
上述した特許文献１〜３では、Ｘ線発生のタイミングとＦＰＤ動作のタイミングとの同期をとる必要があるため、Ｘ線発生直前のタイミングでＸ線発生装置から出力される同期信号を、使用する特定のＦＰＤに伝送する必要がある。そのため、１つのＸ線撮影システムにおいて複数のＦＰＤが使用可能であるにも関わらず、ユーザが所望する使用可能なＦＰＤの１つをその都度選択しなければならない。そして、使用するＦＰＤを変更する場合には、改めてＦＰＤを選択するためのユーザ操作が必要となる。
【０００８】
また、上述した特許文献４では、可搬型ＦＰＤをＸ線検出可能状態（以下、「活性化状態」と称する）に設定する必要があるため、前記と同様に、使用する可搬型ＦＰＤを選択する必要がある。
【０００９】
本発明は、このような問題点に鑑みてなされたものであり、複数の放射線画像検出器を含み構成された放射線撮影システムにおいて、当該放射線撮影システムによる制御の複雑化を回避することを目的とする。
【課題を解決するための手段】
【００１０】
本発明の放射線撮影システムは、被検体を透過した放射線を検出して放射線画像を得る、複数の放射線画像検出器と、前記複数の放射線画像検出器の制御を行う制御部と、前記複数の放射線画像検出器のうちの第１の放射線画像検出器が放射線検出可能状態に遷移したことを第２の放射線画像検出器に伝達する通信部とを備え、前記第１の放射線画像検出器が放射線検出可能状態に遷移した際に、前記第２の放射線画像検出器は放射線検出可能状態に遷移する。
また、本発明は、上述した放射線撮影システムの制御方法を含む。
【発明の効果】
【００１１】
本発明によれば、複数の放射線画像検出器を含み構成された放射線撮影システムにおいて、当該放射線撮影システムによる制御の複雑化を回避することができる。
【図面の簡単な説明】
【００１２】
【図１】本発明の第１の実施形態に係るＸ線撮影システム（放射線撮影システム）の概略構成の一例を示す図である。
【図２】図１に示すＦＰＤの概略構成の一例を示す図である。
【図３】図１に示すシステム制御部の概略構成の一例を示す図である。
【図４】図１に示すＦＰＤの状態遷移の一例を示す模式図である。
【図５】図１に示すシステム制御部、第１のＦＰＤ及び第２のＦＰＤの相互間の情報通信内容の一例を示すシーケンス図である。
【図６】図１に示すモニタ上での表示及び操作について説明するための図である。
【図７】本発明の第１の実施形態に係るＸ線撮影システム（放射線撮影システム）の制御方法における処理手順の一例を示すフローチャートである。
【図８】図１に示す第１のＦＰＤまたは第２のＦＰＤからシステム制御部に送信されるＸ線画像データのデータ構成の一例を示す図である。
【図９】本発明の第２の実施形態に係るＸ線撮影システム（放射線撮影システム）の概略構成の一例を示す図である。
【図１０】本発明の第３の実施形態に係るＸ線撮影システム（放射線撮影システム）の概略構成の一例を示す図である。
【図１１】本発明の第４の実施形態を示し、図１に示すＦＰＤの概略構成の一例を示す図である。
【図１２】本発明の第５の実施形態に係るＸ線撮影システム（放射線撮影システム）の概略構成の一例を示す図である。
【図１３】本発明の第６の実施形態に係るＸ線撮影システム（放射線撮影システム）の概略構成の一例を示す図である。
【発明を実施するための形態】
【００１３】
以下に、図面を参照しながら、本発明を実施するための形態（実施形態）について説明する。
【００１４】
（第１の実施形態）
まず、本発明の第１の実施形態について説明する。
【００１５】
図１は、本発明の第１の実施形態に係るＸ線撮影システム（放射線撮影システム）１００の概略構成の一例を示す図である。
本実施形態に係るＸ線撮影システム１００は、図１に示すように、Ｘ線発生部１１０、複数の放射線画像検出器であるＦＰＤ１２０−１〜１２０−２、Ｘ線発生制御部１３０、Ｘ線照射ボタン１４０、及び、システム制御部１５０を有して構成されている。
【００１６】
なお、図１に示すＸ線撮影システム１００では、複数の放射線画像検出器として、２つのＦＰＤ１２０−１〜１２０−２を設ける例が示されているが、本実施形態においてはこれに限定されるものではない。例えば、複数の放射線画像検出器として、３つ以上のＦＰＤ１２０が設けられている形態であってもよい。また、以下の説明において、第１のＦＰＤ１２０−１（第１の放射線画像検出器）と第２のＦＰＤ１２０−２（第２の放射線画像検出器）に共通する場合については、単に、「ＦＰＤ１２０」として説明を行う。
【００１７】
Ｘ線発生部（放射線発生部）１１０は、Ｘ線発生制御部１３０の制御に基づいて、被検体Ｈに対して、放射線の一種であるＸ線１１１を照射する。このＸ線発生部１１０は、例えば、Ｘ線発生制御部１３０からの電圧制御を受けてＸ線を発生するＸ線源（Ｘ線管）と、Ｘ線源から発生させたＸ線の照射領域を制御するコリメータ等を具備して構成されている。
【００１８】
ＦＰＤ１２０には、被検体Ｈを透過したＸ線１１１が入射する。ＦＰＤ１２０には、Ｘ線に感度を持つ画素が２次元マトリックス状に配置された２次元センサが設けられており、この２次元センサは、入射したＸ線１１１を検出してＸ線画像データ（放射線画像データ）を生成する。具体的に、２次元センサの各画素には、入射したＸ線のＸ線量に応じた電荷が蓄積され、各画素に蓄積された電荷を読み出すことにより、Ｘ線画像データを生成することができる。より詳細に、ＦＰＤ１２０の２次元センサは、入射したＸ線１１１を検出し、当該Ｘ線１１１の強度分布に応じたＸ線画像データを生成する。
【００１９】
ここで、図１に示すＸ線撮影システム１００において、第１のＦＰＤ１２０−１及び第２のＦＰＤ１２０−２は、例えば可搬型のＦＰＤとすることができる。
第１のＦＰＤ１２０−１には、Ｘ線撮影可能な状態（即ち、放射線撮影の準備が完了した状態）であるか否かを示す撮影準備完了表示部（レディランプ）１２０−１１、及び、通信状態を示す無線通信状態表示部（リンクランプ）１２０−１２が設けられている。
第２のＦＰＤ１２０−２には、Ｘ線撮影可能な状態（即ち、放射線撮影の準備が完了した状態）であるか否かを示す撮影準備完了表示部（レディランプ）１２０−２１、及び、通信状態を示す無線通信状態表示部（リンクランプ）１２０−２２が設けられている。
【００２０】
Ｘ線発生制御部（放射線発生制御部）１３０は、システム制御部１５０の制御に基づいて、Ｘ線照射ボタン１４０が操作されたタイミングで、Ｘ線発生部１１０から被検体Ｈに対してＸ線１１１を照射させる制御を行う。
【００２１】
Ｘ線照射ボタン（放射線照射ボタン）１４０は、操作者が被検体ＨのＸ線撮影を行う際に操作するボタンである。
【００２２】
システム制御部１５０は、Ｘ線撮影システム１００における動作を統括的に制御する。例えば、システム制御部１５０は、複数のＦＰＤ１２０−１〜１２０−２における各ＦＰＤ（各放射線画像検出器）１２０と通信を行って各ＦＰＤ１２０からＸ線画像データを取得する制御を行う。そして、システム制御部１５０は、各ＦＰＤ１２０から取得したＸ線画像データを、検査ＩＤ等の検査情報に応じて管理する。
このシステム制御部１５０は、ＰＣ（パーソナル・コンピュータ）１５０ａ、アクセスポイント１５０ｂ、及び、モニタ１５０ｃを具備して構成されている。なお、本例では、アクセスポイント１５０ｂは、システム制御部１５０の一構成としているが、システム制御部１５０の一構成とはせずにシステム制御部１５０から独立した構成として設けられていてもよい。
【００２３】
ＰＣ１５０ａは、Ｘ線撮影システム１００の全般に亘る動作を制御するものであり、Ｘ線発生制御部１３０、アクセスポイント１５０ｂ、及び、モニタ１５０ｃが接続されている。
【００２４】
アクセスポイント１５０ｂは、第１のＦＰＤ１２０−１及び第２のＦＰＤ１２０−２と無線ＬＡＮを通じて通信を行うものである。ここでの主な通信内容は、各ＦＰＤ１２０で生成されたＸ線画像データを当該各ＦＰＤ１２０からＰＣ１５０ａへ伝送することや、各ＦＰＤ１２０の状態に係る情報（ステータス情報）を当該各ＦＰＤ１２０からＰＣ１５０ａへ伝送すること、及び、各ＦＰＤ１２０を制御するための制御コマンド（状態遷移指示コマンド）をＰＣ１５０ａから当該各ＦＰＤ１２０へ伝送すること等である。
【００２５】
ここで、第１のＦＰＤ１２０−１及び第２のＦＰＤ１２０−２は、アクセスポイント１５０ｂによる無線ＬＡＮ環境の一員として機能するため、それぞれが無線ＬＡＮ内の物理アドレス（ＭＡＣアドレス：Ｍｅｄｉａ  Ａｃｃｅｓｓ  Ｃｏｎｔｒｏｌ  ａｄｄｒｅｓｓ）で区別され、独立した通信が可能となっている。なお、ここで用いる無線通信方式は、無線ＬＡＮ通信に限定されるものではなく、例えば、Ｂｌｕｅｔｏｏｔｈ(登録商標)規格通信などを用いる他、アドホックな通信など、独自の無線通信方式でも実現可能であり、無線ＬＡＮ通信の場合と同様の効果が得られる。
【００２６】
また、ここで特筆すべきは、第１のＦＰＤ１２０−１と第２のＦＰＤ１２０−２との間でもステータス情報の通信が行われることであるが、物理的にはアクセスポイント１５０ｂを通じた無線ＬＡＮ環境で行われる。以下の説明においては、ＦＰＤ１２０同士の通信という表現をする。
【００２７】
なお、本実施形態においては、ＰＣ１５０ａと第１のＦＰＤ１２０−１及び第２のＦＰＤ１２０−２との間の通信方式は、アクセスポイント１５０ｂを介した無線通信としているが、本発明においては、この無線通信に限定されるものではない。例えば、ＰＣ１５０ａと第１のＦＰＤ１２０−１及び第２のＦＰＤ１２０−２との間を有線で接続し、有線通信を行う形態も本発明に適用可能である。同様に、ＦＰＤ１２０同士の通信においても、第１のＦＰＤ１２０−１と第２のＦＰＤ１２０−２との間を有線で接続し、有線通信を行う形態も本発明に適用可能である。
【００２８】
モニタ１５０ｃは、グラフィカル・ユーザ・インターフェース（ＧＵＩ）機能を備え、例えばタッチパネルで実現される操作ボタン及び各種の情報を表示する機能を持つ。また、モニタ１５０ｃは、ＰＣ１５０ａの制御に基づいて、第１のＦＰＤ１２０−１及び第２のＦＰＤ１２０−２で生成されたＸ線画像データに基づくＸ線画像を操作者のために表示する。
【００２９】
次に、図１に示すＦＰＤ１２０の概略構成（内部構成）について説明する。
図２は、図１に示すＦＰＤ１２０の概略構成の一例を示す図である。
【００３０】
ＦＰＤ１２０は、図２に示すように、ＣＰＵ１２１、記憶部１２２、電源１２３、２次元センサ１２４、表示部１２５、操作部１２６、通信インターフェース（通信Ｉ／Ｆ）１２７、及び、バス１２８を有して構成されている。
【００３１】
ＣＰＵ１２１は、例えば、記憶部１２２に記憶されたプログラムやデータや情報を用いて、当該ＦＰＤ１２０の動作を制御するものである。
記憶部１２２は、例えば、オペレーティングシステム（ＯＳ）やＣＰＵ１２１が実行するプログラム、更には、当該ＦＰＤ１２０において既知としているデータや情報等を記憶している。
電源１２３は、当該ＦＰＤ１２０を動作させるための電力を供給するものである。
２次元センサ１２４は、Ｘ線に感度を持つ画素が２次元マトリックス状に配置されたものである。この２次元センサ１２４は、入射したＸ線１１１に基づくＸ線画像データを生成する。具体的に、２次元センサの各画素には、入射したＸ線のＸ線量に応じた電荷が蓄積され、各画素に蓄積された電荷を読み出すことにより、Ｘ線画像データを生成することができる。
表示部１２５は、例えばＣＰＵ１２１の制御に基づいて、各種の情報等を表示する。
操作部１２６は、操作者が操作可能に構成された入力デバイスである。
通信Ｉ／Ｆ１２７は、当該ＦＰＤ１２０と外部装置との間で行われる各種のデータや各種の情報、各種の信号等の送受信を司るものである。ここで、外部装置としては、他のＦＰＤ１２０やシステム制御部１５０等が挙げられる。
バス１２８は、ＣＰＵ１２１、記憶部１２２、電源１２３、２次元センサ１２４、表示部１２５、操作部１２６、及び、通信Ｉ／Ｆ１２７を相互に通信可能に接続する。
ここで、例えば、図２に示す表示部１２５から、図１に示す撮影準備完了表示部（レディランプ）１２０−１１及び１２０−２１、並びに、無線通信状態表示部（リンクランプ）１２０−１２及び１２０−２２が構成される。
【００３２】
次に、図１に示すシステム制御部１５０の概略構成について説明する。
図３は、図１に示すシステム制御部１５０の概略構成の一例を示す図である。
【００３３】
システム制御部１５０は、図３に示すように、ＣＰＵ１５１、記憶部１５２、電源１５３、表示部１５４、操作部１５５、通信インターフェース（通信Ｉ／Ｆ）１５６、及び、バス１５７を有して構成されている。
【００３４】
ＣＰＵ１５１は、例えば、記憶部１５２に記憶されたプログラムやデータや情報を用いて、当該システム制御部１５０の動作を制御するものである。
記憶部１５２は、例えば、オペレーティングシステム（ＯＳ）やＣＰＵ１５１が実行するプログラム、更には、当該システム制御部１５０において既知としているデータや情報等を記憶している。
電源１５３は、当該システム制御部１５０を動作させるための電力を供給するものである。
表示部１５４は、例えばＣＰＵ１５１の制御に基づいて、各種の画像や各種の情報等を表示する。
操作部１５５は、操作者が操作可能に構成された入力デバイスである。
通信Ｉ／Ｆ１５６は、当該システム制御部１５０と外部装置との間で行われる各種のデータや各種の情報、各種の信号等の送受信を司るものである。ここで、外部装置としては、ＦＰＤ１２０等が挙げられる。
バス１５７は、ＣＰＵ１５１、記憶部１５２、電源１５３、表示部１５４、操作部１５５、及び、通信Ｉ／Ｆ１５６を相互に通信可能に接続する。
ここで、例えば、図３に示すＣＰＵ１５１、記憶部１５２及び電源１５３から、図１に示すＰＣ１５０ａが構成される。また、例えば、図３に示す通信Ｉ／Ｆ１５６から、図１に示すアクセスポイント１５０ｂが構成される。また、例えば、図３に示す表示部１５４及び操作部１５５から、モニタ１５０ｃが構成される。
【００３５】
次に、図１に示すＦＰＤ１２０の状態遷移について説明する。
図４は、図１に示すＦＰＤ１２０の状態遷移の一例を示す模式図である。
【００３６】
図４において、状態４０１は、電源１２３を投入する前の「電源オフ状態」であり、状態４０２は、低消費電力でコマンドを待つ「待機状態」、状態４０３は、Ｘ線検出可能状態（放射線検出可能状態）である「活性化状態」を表している。ここで、図１に示す複数のＦＰＤ１２０−１〜１２０−２における各ＦＰＤ１２０は、システム制御部１５０による制御とは独立して活性化状態に遷移することが可能であり、且つ、互いに通信可能に構成されている。
【００３７】
また、図４において、状態４０４は、２次元センサ１２４からＸ線画像データを読み出している「Ｘ線量（電荷）蓄積・読み出し状態」であり、状態４０５は、２次元センサ１２４から得られたＸ線画像データをシステム制御部１５０へ送信している「Ｘ線画像データ送信状態」である。
【００３８】
図４に示すＦＰＤ１２０の初期状態は、電源オフ状態４０１であり、この状態で電源投入４０６があると待機状態４０２に遷移し、コマンドを待つ状態になる。この待機状態４０２で電源遮断４０７があると、電源オフ状態４０１に戻る。
【００３９】
また、待機状態４０２においては、所定時間の経過に従って、活性化状態４０３に遷移する。ここでは、活性化状態４０３への遷移に要する所定時間は、例えば、条件設定によって、Ｔ２もしくはＴ３で表される時間とする。即ち、待機状態４０２において、Ｔ２／Ｔ３時間後の自動遷移４０８によって、活性化状態４０３に遷移する。
【００４０】
活性化状態４０３においては、暗電流の蓄積があるため所定時間Ｘ線照射が行われない場合には、待機状態４０２に戻る。ここで、待機状態４０２への遷移に要する所定時間は、例えば、条件設定によって、Ｔ１で表される時間とする。即ち、活性化状態４０３において、Ｔ１時間後の自動遷移４０９によって、待機状態４０２に遷移する。
また、活性化状態４０３において、電源遮断４１０があると、電源オフ状態４０１に戻る。
【００４１】
また、活性化状態４０３において、２次元センサ１２４でＸ線照射検知４１１があると、Ｘ線量（電荷）蓄積・読み出し状態４０４に遷移する。このＸ線量（電荷）蓄積・読み出し状態４０４において、読み出し完了４１２となると、Ｘ線画像データ送信状態に遷移する。そして、このＸ線画像データ送信状態において、Ｘ線画像データ送信完了４１３となると、待機状態４０２に戻る。
【００４２】
次に、図１に示すシステム制御部１５０、第１のＦＰＤ１２０−１及び第２のＦＰＤ１２０−２の相互間の情報通信内容について説明する。
図５は、図１に示すシステム制御部１５０、第１のＦＰＤ１２０−１及び第２のＦＰＤ１２０−２の相互間の情報通信内容の一例を示すシーケンス図である。ここで、システム制御部１５０は、第１のＦＰＤ１２０−１及び第２のＦＰＤ１２０−２と情報通信を行う際には、通信Ｉ／Ｆ１５６（アクセスポイント１５０ｂ）を介して、ＣＰＵ１５１が主体となって当該情報通信処理等を行う。また、第１のＦＰＤ１２０−１は、システム制御部１５０及び第２のＦＰＤ１２０−２と情報通信を行う際には、通信Ｉ／Ｆ１２７を介して、ＣＰＵ１２１が主体となって当該情報通信処理等を行う。また、第２のＦＰＤ１２０−２は、システム制御部１５０及び第１のＦＰＤ１２０−１と情報通信を行う際には、通信Ｉ／Ｆ１２７を介して、ＣＰＵ１２１が主体となって当該情報通信処理等を行う。
【００４３】
シーケンス５０１は、図１に示すシステム制御部１５０の動作を示すシーケンスである。また、シーケンス５０２は、図１に示す第１のＦＰＤ１２０−１の動作を示すシーケンスであり、シーケンス５０３は、図１に示す第２のＦＰＤ１２０−２の動作を示すシーケンスである。図５に示すシーケンス図の説明においては、図５中の＜  ＞で囲まれた数値（例えば、＜ｓ００１＞）で、説明する部分を表記する。
【００４４】
まず、第１のＦＰＤ１２０−１において、電源１２３が投入されると（＜ｓ００１＞）、第１のＦＰＤ１２０−１のＣＰＵ１２１はこれを検知する。そして、第１のＦＰＤ１２０−１のＣＰＵ１２１は、例えば当該第１のＦＰＤ１２０−１における制御マイクロコンピュータの起動などの初期化処理を行う（＜ｓ００３＞）。その後、第１のＦＰＤ１２０−１のＣＰＵ１２１は、当該第１のＦＰＤ１２０−１の動作状態を待機状態とする処理を行う（＜ｓ００９＞）。
同様に、第２のＦＰＤ１２０−２において、電源１２３が投入されると（＜ｓ００２＞）、第２のＦＰＤ１２０−２のＣＰＵ１２１はこれを検知する。そして、第２のＦＰＤ１２０−２のＣＰＵ１２１は、例えば当該第２のＦＰＤ１２０−２における制御マイクロコンピュータの起動などの初期化処理を行う（＜ｓ００４＞）。その後、第２のＦＰＤ１２０−２のＣＰＵ１２１は、当該第２のＦＰＤ１２０−２の動作状態を待機状態とする処理を行う（＜ｓ０１０＞）。
【００４５】
第１のＦＰＤ１２０−１及び第２のＦＰＤ１２０−２がシステム制御部１５０のアクセスポイント１５０ｂの電波が到達する範囲のいわゆる無線ＬＡＮ環境下にある場合、第１のＦＰＤ１２０−１及び第２のＦＰＤ１２０−２のＣＰＵ１２１は、通信Ｉ／Ｆ１２７を介して、アクセスポイント１５０ｂが数十〜数百ミリ秒単位で定期的に電波発信するビーコン信号を受信する処理を行う（＜ｓ００５＞）。
【００４６】
第１のＦＰＤ１２０−１のＣＰＵ１２１は、システム制御部１５０からビーコン信号を受信すると、システム制御部１５０に対して、接続要求信号（接続要求コマンド）を送信する処理を行う（＜ｓ００６＞）。具体的に、第１のＦＰＤ１２０−１のＣＰＵ１２１は、所定の無線ＬＡＮのＩＤ（Ｓｅｒｖｉｃｅ  Ｓｅｔ  Ｉｄｅｎｔｉｆｉｅｒ：ＳＳＩＤ）であることを確認した後、パスワード認証等の処置を経て、当該無線周波数にてシステム制御部１５０に対してＭＡＣアドレスを含む接続要求コマンドを送信する処理を行う。
システム制御部１５０のＣＰＵ１５１は、第１のＦＰＤ１２０−１から接続要求信号（接続要求コマンド）を受信すると、第１のＦＰＤ１２０−１に対して、接続許可信号を送信する処理を行う（＜ｓ００７＞）。
そして、第１のＦＰＤ１２０−１のＣＰＵ１２１は、システム制御部１５０から接続許可信号を受信すると、無線通信接続操作が完了した旨を示す無線通信状態表示（以下、「リンクランプ」）点灯処理を行う。これにより、操作者は、第１のＦＰＤ１２０−１が通信可能状態になったことを知ることができる。その後、第１のＦＰＤ１２０−１のＣＰＵ１２１は、システム制御部１５０に対して待機状態を通知する処理を行う（＜ｓ００８＞）。
システム制御部１５０のＣＰＵ１５１は、第１のＦＰＤ１２０−１から待機状態の通知を受けると、第１のＦＰＤ１２０−１が使用可能状態であるとして登録する処理を行う。
【００４７】
第１のＦＰＤ１２０−１における情報通信内容（＜ｓ００５＞〜＜ｓ００８＞）と同様に、第２のＦＰＤ１２０−２においても情報通信が行われる。
具体的には、まず、第２のＦＰＤ１２０−２のＣＰＵ１２１は、システム制御部１５０からビーコン信号を受信すると、システム制御部１５０に対して、接続要求信号（接続要求コマンド）を送信する処理を行う（＜ｓ０１１＞）。具体的に、第２のＦＰＤ１２０−２のＣＰＵ１２１は、所定の無線ＬＡＮのＩＤ（ＳＳＩＤ）であることを確認した後、パスワード認証等の処置を経て、当該無線周波数にてシステム制御部１５０に対してＭＡＣアドレスを含む接続要求コマンドを送信する処理を行う。
システム制御部１５０のＣＰＵ１５１は、第２のＦＰＤ１２０−２から接続要求信号（接続要求コマンド）を受信すると、第２のＦＰＤ１２０−２に対して、接続許可信号を送信する処理を行う（＜ｓ０１２＞）。
そして、第２のＦＰＤ１２０−２のＣＰＵ１２１は、システム制御部１５０から接続許可信号を受信すると、無線通信接続操作が完了した旨を示すリンクランプ点灯処理を行う。これにより、操作者は、第２のＦＰＤ１２０−２が通信可能状態になったことを知ることができる。その後、第２のＦＰＤ１２０−２のＣＰＵ１２１は、システム制御部１５０に対して待機状態を通知する処理を行う（＜ｓ０１３＞）。
システム制御部１５０のＣＰＵ１５１は、第２のＦＰＤ１２０−２から待機状態の通知を受けると、第２のＦＰＤ１２０−２が使用可能状態であるとして登録する処理を行う。
【００４８】
続いて、第１のＦＰＤ１２０−１のＣＰＵ１２１は、図４において上述したように、所定時間を待って、当該第１のＦＰＤ１２０−１の動作状態を活性化状態に自動遷移する処理を行う（＜ｓ０１４＞）。そして、第１のＦＰＤ１２０−１のＣＰＵ１２１は、活性化状態持続時間Ｔ１を設定する処理を行う（＜ｓ０１８＞）。この際、第１のＦＰＤ１２０−１のＣＰＵ１２１は、システム制御部１５０に対して、当該第１のＦＰＤ１２０−１が活性化状態である旨を通知する処理を行う（＜ｓ０１５＞）。また、第１のＦＰＤ１２０−１のＣＰＵ１２１は、システム制御部１５０に対する通知と実質的に同時に、第２のＦＰＤ１２０−２に対しても、当該第１のＦＰＤ１２０−１が活性化状態である旨を通知する処理を行う（＜ｓ０１６＞）。
【００４９】
システム制御部１５０のＣＰＵ１５１は、第１のＦＰＤ１２０−１から活性化状態である旨の通知を受けると、第１のＦＰＤ１２０−１に対して、予め知り得た、Ｘ線撮影検査の内容を表す検査情報である検査ＩＤを通知する処理を行う（＜ｓ０１７＞）。この検査ＩＤは、第１のＦＰＤ１２０−１によるＸ線撮影後、当該Ｘ線撮影により得られた画像情報とともに、第１のＦＰＤ１２０−１からシステム制御部１５０に返信される。そして、システム制御部１５０のＣＰＵ１５１は、第１のＦＰＤ１２０−１から返信された検査ＩＤによって、撮影画像データが目的とするＸ線画像データであることを確認する処理を行う。
【００５０】
ここでは、システム制御部１５０から第１のＦＰＤ１２０−１に送信する検査情報として検査ＩＤの例を挙げたが、検査情報は、検査ＩＤに限らず、Ｘ線撮影検査に関する情報であれば如何なるものも許容できる。このＸ線撮影検査に関する情報としては、例えば、検査ＩＤの他、患者名、患者の誕生日、検査名称、撮影部位、担当操作者名、Ｘ線撮影条件（放射線撮影条件）に関する物理パラメータなどが挙げられる。そして、第１のＦＰＤ１２０−１からシステム制御部１５０に返信する検査情報として、検査ＩＤとともに上述した情報を含めることにより、より詳細な撮影画像データの正誤確認が可能となる。
【００５１】
また、第２のＦＰＤ１２０−２のＣＰＵ１２１は、第１のＦＰＤ１２０−１から活性化状態である旨の通知（＜ｓ０１６＞）を受けると、活性化状態に遷移するまでの所定時間として遅延時間Ｔ３を設定する処理を行う（＜ｓ０１９＞）。そして、第２のＦＰＤ１２０−２のＣＰＵ１２１は、遅延時間Ｔ３が経過すると、当該第２のＦＰＤ１２０−２の動作状態を活性化状態とする遷移処理を行う（＜ｓ０２０＞）。この際、第２のＦＰＤ１２０−２のＣＰＵ１２１は、活性化状態持続時間Ｔ１を設定する処理を行う（＜ｓ０２６＞）。また、第２のＦＰＤ１２０−２のＣＰＵ１２１は、当該第２のＦＰＤ１２０−２が活性化状態である旨を、第１のＦＰＤ１２０−１に対して通知する処理を行う（＜ｓ０２１＞）とともに、システム制御部１５０に対して通知する処理を行う（＜ｓ０２２＞）。
【００５２】
システム制御部１５０のＣＰＵ１５１は、第２のＦＰＤ１２０−２から活性化状態である旨の通知を受けると、第２のＦＰＤ１２０−２に対して、＜ｓ０１７＞と同様に、上述した検査ＩＤを通知する処理を行う（＜ｓ０２３＞）。
【００５３】
また、第１のＦＰＤ１２０−１のＣＰＵ１２１は、＜ｓ０１８＞で設定した活性化状態持続時間Ｔ１内にＸ線撮影が行われなかった場合には、２次元センサ１２４に蓄積された暗電流などを消去するためと消費電力をおさえてバッテリを温存させるため、もしくは必要以上の発熱を避けるために、当該第１のＦＰＤ１２０−１の動作状態を待機状態とする自動遷移処理を行う（＜ｓ０２４＞）。そして、第１のＦＰＤ１２０−１のＣＰＵ１２１は、待機状態持続時間Ｔ２を設定する処理を行う（＜ｓ０２５＞）。
【００５４】
そして、第１のＦＰＤ１２０−１のＣＰＵ１２１は、＜ｓ０２５＞で設定した所定時間である待機状態持続時間Ｔ２が経過すると、当該第１のＦＰＤ１２０−１の動作状態を活性化状態とする自動遷移処理を行う（＜ｓ０２７＞）。そして、第１のＦＰＤ１２０−１のＣＰＵ１２１は、活性化状態持続時間Ｔ１を設定する処理を行う（＜ｓ０３１＞）。また、第１のＦＰＤ１２０−１のＣＰＵ１２１は、システム制御部１５０に対して、当該第１のＦＰＤ１２０−１が活性化状態である旨を通知する処理を行う（＜ｓ０２８＞）。さらに、第１のＦＰＤ１２０−１のＣＰＵ１２１は、システム制御部１５０に対する通知と実質的に同時に、第２のＦＰＤ１２０−２に対しても、当該第１のＦＰＤ１２０−１が活性化状態である旨を通知する処理を行う（＜ｓ０２９＞）。
そして、システム制御部１５０のＣＰＵ１５１は、第１のＦＰＤ１２０−１から活性化状態である旨の通知を受けると、＜ｓ０１７＞と同様に、検査ＩＤを通知する処理を行う（＜ｓ０３０＞）。
【００５５】
また、第２のＦＰＤ１２０−２のＣＰＵ１２１は、＜ｓ０２６＞で設定した活性化状態持続時間Ｔ１内にＸ線撮影が行われなかった場合には、２次元センサ１２４に蓄積された暗電流などを消去するためと消費電力をおさえてバッテリを温存させるため、もしくは必要以上の発熱を避けるために、当該第２のＦＰＤ１２０−２の動作状態を待機状態とする自動遷移処理を行う（＜ｓ０３２＞）。そして、第２のＦＰＤ１２０−２のＣＰＵ１２１は、待機状態持続時間Ｔ２を設定する処理を行う（＜ｓ０３３＞）。
【００５６】
そして、第２のＦＰＤ１２０−２のＣＰＵ１２１は、＜ｓ０３３＞で設定した所定時間である待機状態持続時間Ｔ２が経過すると、当該第２のＦＰＤ１２０−２の動作状態を活性化状態とする自動遷移処理を行う（＜ｓ０３４＞）。この際、第２のＦＰＤ１２０−２のＣＰＵ１２１は、活性化状態持続時間Ｔ１を設定する処理を行う。また、第２のＦＰＤ１２０−２のＣＰＵ１２１は、当該第２のＦＰＤ１２０−２が活性化状態である旨を、第２のＦＰＤ１２０−２に対して通知する処理を行う（＜ｓ０３５＞）とともに、システム制御部１５０に対して通知する処理を行う（＜ｓ０３６＞）。
そして、システム制御部１５０のＣＰＵ１５１は、第２のＦＰＤ１２０−２から活性化状態である旨の通知を受けると、＜ｓ０２３＞と同様に、検査ＩＤを通知する処理を行う（＜ｓ０３７＞）。
【００５７】
以降、上述した処理を繰り返し行う。
【００５８】
本実施形態に係るＸ線撮影システム１００では、複数のＦＰＤ１２０のうちの１つのＦＰＤである第１のＦＰＤ１２０−１が活性化状態に遷移した際に、第１のＦＰＤ１２０−１は、当該第１のＦＰＤ１２０−１を除く他のＦＰＤである第２のＦＰＤ１２０−２に対して活性化状態に遷移した旨を通知するようにしている（＜ｓ０１６＞）。
そして、第２のＦＰＤ１２０−２は、第１のＦＰＤ１２０−１から活性化状態の遷移した旨の通知（＜ｓ０１６＞）を受信した場合、所定時間である遅延時間Ｔ３だけ遅延して活性化状態に遷移するようになっている（＜ｓ０１９＞〜＜ｓ０２０＞）。このため、例えば、Ｔ１＞Ｔ３＞Ｔ２の関係があれば、第１のＦＰＤ１２０−１が待機状態の場合でも、第２のＦＰＤ１２０−２は、活性化状態である。即ち、図５に示すように、本実施形態に係るＸ線撮影システム１００では、被検体ＨのＸ線撮影の際には、複数のＦＰＤ１２０のうちのいずれかのＦＰＤが活性化状態となっている。さらに、被検体ＨのＸ線撮影の際の或るタイミングでは、複数のＦＰＤ１２０のうちの２つ以上のＦＰＤ（図１に示す例では、第１のＦＰＤ１２０−１及び第２のＦＰＤ１２０−２の両者）が同時に活性化状態となっている場合もある（例えば、＜ｓ０２１＞、＜ｓ０２９＞、＜ｓ０３５＞）。この場合、操作者は、別途、ユーザ・インターフェースを用いてＸ線撮影に使用するＦＰＤ１２０を選定する必要はない。本実施形態では、図５に示すように、常にどちらかのＦＰＤ１２０が活性化状態（Ｘ線検出可能状態（放射線検出可能状態））であることから、無駄な待ち時間を生ずることがない。
【００５９】
また、仮に、第１のＦＰＤ１２０−１が活性化状態の際に、Ｘ線撮影によるＸ線照射が行われ、図４に示すように、第１のＦＰＤ１２０−１が「Ｘ線量（電荷）蓄積・読み出し状態」に遷移し、次いで、「Ｘ線画像データ送信状態」に遷移した場合には、その後、待機状態に戻るため、第１のＦＰＤ１２０−１でのＸ線撮影は不可能となるが、その間に、第２のＦＰＤ１２０−２は、独立して、活性化状態と待機状態とを繰り返している。したがって、第１のＦＰＤ１２０−１が上述したＸ線撮影不可能な状態であっても、第２のＦＰＤ１２０−２において、別途独立したＸ線撮影を行うことができる。
【００６０】
また、図５では図示していないが、第１のＦＰＤ１２０−１と第２のＦＰＤ１２０−２とが互いの活性化状態を把握できるように、互いに活性化状態かどうかの情報提示を要求するコマンドを通信し、常に、少なくとも一方のＦＰＤ１２０が活性化状態になるように制御することも可能である。
【００６１】
また、システム制御部１５０の記憶部１５２に、各ＦＰＤ１２０の活性化状態／待機状態を示すフラグを記憶しておき、常に、システム制御部１５０において、各ＦＰＤ１２０の動作状態を監視・更新する形態も採用可能である。この場合、第１のＦＰＤ１２０−１及び第２のＦＰＤ１２０−２は、記憶部１５２に記憶されている上述したフラグを知るコマンドを通じて、活性化状況を制御できる。ここで、具体的な制御方法としては、図５の＜ｓ０１９＞における遅延時間Ｔ３を、お互いの状態を見ながら、適応的に変更することにより、Ｘ線撮影システム１００全体としての最適な状態を保つことができる。
【００６２】
次に、図１に示すモニタ１５０ｃ上での表示及び操作について説明する。
図６は、図１に示すモニタ１５０ｃ上での表示及び操作について説明するための図である。
【００６３】
図６に示すモニタ１５０ｃには、ＦＰＤ１２０でのＸ線撮影により得られたＸ線画像データに基づくＸ線画像を表示する画像表示領域６０１と、情報表示及びタッチパネル／マウスクリックなどを利用可能なＧＵＩ領域６０２が設けられている。ここで、画像表示領域６０１に表示されるＸ線画像は、例えば、第１のＦＰＤ１２０−１または第２のＦＰＤ１２０−２でのＸ線撮影により得られた最新のＸ線画像である。ＧＵＩ領域６０２に表示される情報としては、患者情報、検査オーダ名称、撮影部位情報、ＦＰＤモデル名、Ｘ線撮影条件、撮影時刻、施設／操作者情報、過去の撮影により得られたＸ線画像の縮小版（サムネイル）等が挙げられる。また、ＧＵＩ領域６０２で操作可能なものとしては、Ｘ線画像の階調調整や先鋭度調整などの画像処理パラメータ調整や、Ｘ線画像の切り出し領域の設定などである。
【００６４】
操作者は、画像表示領域６０１に表示される、第１のＦＰＤ１２０−１または第２のＦＰＤ１２０−２から送られてくるＸ線画像データに基づくＸ線画像を確認し、ＧＵＩ領域６０２を操作して画像処理パラメータ等を調整する。その後、操作者は、必要に応じて、当該Ｘ線画像データを管理サーバ（不図示）に転送するなどの処理を行う。
【００６５】
次に、本実施形態に係るＸ線撮影システム１００の制御方法における処理手順について説明する。
図７は、本発明の第１の実施形態に係るＸ線撮影システム（放射線撮影システム）の制御方法における処理手順の一例を示すフローチャートである。
【００６６】
まず、ステップＳ７０１において、システム制御部１５０のＣＰＵ１５１は、無線ＬＡＮ環境において検知できた第１のＦＰＤ１２０−１及び第２のＦＰＤ１２０−２の登録処理を行う。
【００６７】
続いて、ステップＳ７０２において、ステップＳ７０１で登録された第１のＦＰＤ１２０−１のＣＰＵ１２１は、当該第１のＦＰＤ１２０−１の動作状態を活性化状態に自動遷移する処理を行う。同様に、ステップＳ７０１で登録された第２のＦＰＤ１２０−２のＣＰＵ１２１は、当該第２のＦＰＤ１２０−２の動作状態を活性化状態に自動遷移する処理を行う。この際、第１のＦＰＤ１２０−１のＣＰＵ１２１及び第２のＦＰＤ１２０−２のＣＰＵ１２１は、システム制御部１５０の制御に基づいて、自装置を活性化状態としてもよい。
【００６８】
続いて、ステップＳ７０３において、システム制御部１５０のＣＰＵ１５１は、ステップＳ７０１で登録した第１のＦＰＤ１２０−１及び第２のＦＰＤ１２０−２に対して、所望の検査ＩＤ（検査情報）を送信する処理を行う。
【００６９】
続いて、ステップＳ７０４において、システム制御部１５０のＣＰＵ１５１は、ステップＳ７０１で登録した第１のＦＰＤ１２０−１及び第２のＦＰＤ１２０−２のうちのいずれかのＦＰＤ１２０から、Ｘ線画像データを受信したか否かを判断する。
この判断の結果、ステップＳ７０１で登録した第１のＦＰＤ１２０−１及び第２のＦＰＤ１２０−２のうちのいずれかのＦＰＤ１２０からもＸ線画像データを受信していない場合には、ステップＳ７０４で待機する。
【００７０】
一方、ステップＳ７０４の判断の結果、ステップＳ７０１で登録した第１のＦＰＤ１２０−１及び第２のＦＰＤ１２０−２のうちのいずれかのＦＰＤ１２０からＸ線画像データを受信した場合には、ステップＳ７０５に進む。
ステップＳ７０５に進むと、システム制御部１５０のＣＰＵ１５１は、受信したＸ線画像データに添付されている検査ＩＤが、ステップＳ７０３で送信した所望の検査ＩＤと一致するか否かを判断する。
【００７１】
ステップＳ７０５の判断の結果、受信したＸ線画像データに添付されている検査ＩＤが、ステップＳ７０３で送信した所望の検査ＩＤと一致しない場合には、ステップＳ７０４に戻る。
【００７２】
一方、ステップＳ７０５の判断の結果、受信したＸ線画像データに添付されている検査ＩＤが、ステップＳ７０３で送信した所望の検査ＩＤと一致する場合には、ステップＳ７０６に進む。
ステップＳ７０６に進むと、システム制御部１５０のＣＰＵ１５１は、受信したＸ線画像データに基づくＸ線画像を表示部１５４（モニタ１５０ｃ）に表示する処理を行う。さらに、システム制御部１５０のＣＰＵ１５１は、受信したＸ線画像データを記憶部１５２に保存する処理等を行う。
【００７３】
ステップＳ７０６の処理が終了すると、ステップＳ７０４に戻り、ステップＳ７０４以降の処理を再度行う。
【００７４】
ここで、第１のＦＰＤ１２０−１または第２のＦＰＤ１２０−２からシステム制御部１５０に送信されるＸ線画像データのデータ構成について説明する。
図８は、図１に示す第１のＦＰＤ１２０−１または第２のＦＰＤ１２０−２からシステム制御部１５０に送信されるＸ線画像データのデータ構成の一例を示す図である。
【００７５】
第１のＦＰＤ１２０−１または第２のＦＰＤ１２０−２からシステム制御部１５０に送信されるＸ線画像データは、図８に示すように、ヘッダー情報８０１と、画像情報８０２から構成されている。ヘッダー情報８０１は、画像情報８０２に先立って送信される部分である。ヘッダー情報８０１には、図８に示すように、検査情報である検査ＩＤを含め、ＦＰＤ  ＩＤ、撮影日時、ＦＰＤモデル名、画像サイズ（Ｘ，Ｙ）等の情報が含まれている。ここで、ヘッダー情報８０１の検査ＩＤは、Ｘ線撮影に先立ってシステム制御部１５０からＦＰＤ１２０に送信されたものである。
【００７６】
システム制御部１５０は、受信したＸ線画像データのヘッダー情報８０１に含まれる検査ＩＤを用いて、受信したＸ線画像データが所望のＸ線画像データであるかどうかの確認を行うことが可能である。
【００７７】
本実施形態の放射線撮影システム１００では、被検体Ｈを透過した放射線を検出して放射線画像を得る、複数の放射線画像検出器（ＦＰＤ）と、複数の放射線画像検出器の制御を行う制御部（システム制御部１５０）とを有し、複数の放射線画像検出器のうちの第１の放射線画像検出器（第１のＦＰＤ１２０−１）が放射線検出可能状態に遷移した際に、第２の放射線画像検出器（第２のＦＰＤ１２０−２）は放射線検出可能状態に遷移する。具体的には、第１の放射線画像検出器（第１のＦＰＤ１２０−１）が放射線検出可能状態に遷移した際に、第１の放射線画像検出器（第１のＦＰＤ１２０−１）が放射線検出可能状態であることを第２の放射線画像検出器（第２のＦＰＤ１２０−２）に伝達する通信部を備え、第２の放射線画像検出器（第２のＦＰＤ１２０−２）は放射線検出可能状態に遷移する。よって、放射線撮影システムによる制御の複雑化を回避することができる。なお、通信部は、アクセスポイント１５０ｂを利用してもよい。また、第１の放射線画像検出器と第２の放射線画像検出器の内部に通信部を有していてもよい。
また、本実施形態では、システム制御部１５０に、第１のＦＰＤ１２０−１及び第２のＦＰＤ１２０−２を登録する方法として、無線ＬＡＮのアクセスポイント１５０ｂが出力するビーコン信号に呼応する方式を採用したが、他の方式でも同様の効果が得られる。例えば、他の入力手段によって第１のＦＰＤ１２０−１及び第２のＦＰＤ１２０−２を登録する方法や、第１のＦＰＤ１２０−１もしくは第２のＦＰＤ１２０−２が発信する接続要求信号に応じて、システム制御部１５０が呼応して登録する方法等も採用可能である。
【００７８】
また、本実施形態では、システム制御部１５０と第１のＦＰＤ１２０−１及び第２のＦＰＤ１２０−２との通信接続は無線通信接続としたが、有線通信接続する形態であっても同様の効果が得られるため、本実施形態に採用可能である。
【００７９】
また、本実施形態では、１つのＸ線撮影システム１００について説明を行ったが、互いに協調し合う複数のＸ線撮影システムを構築しても同様の効果が得られるため、本実施形態に採用可能である。
【００８０】
また、本実施形態では、ＦＰＤ１２０は、Ｘ線自動検知機能によってＸ線１１１の検知と当該ＦＰＤ１２０内の２次元センサ１２４の駆動との同期を採る方式を想定しているが、以下の他の方式であってもよい。
例えば、別途、各ＦＰＤ１２０とＸ線発生部１１０とを配線もしくは通信手段によって通信可能に構成する。そして、各ＦＰＤ１２０は、Ｘ線発生部１１０から被検体ＨにＸ線１１１を照射するタイミングに係るタイミング情報を受信し、当該タイミング情報に基づいて被検体Ｈを透過したＸ線１１１を検出してＸ線画像データを生成する。即ち、各ＦＰＤ１２０とＸ線発生部１１０とを通信可能に構成することによって、各ＦＰＤ１２０は、Ｘ線１１１の検知のタイミングと当該各ＦＰＤ１２０内の２次元センサ１２４の駆動との同期を採る方式も採用可能である。また、上述した各ＦＰＤ１２０とＸ線発生部１１０との通信をシステム制御部１５０を介して行う形態も、同様の効果が得られる。
【００８１】
（第２の実施形態）
次に、本発明の第２の実施形態について説明する。
【００８２】
図９は、本発明の第２の実施形態に係るＸ線撮影システム（放射線撮影システム）２００の概略構成の一例を示す図である。図９において、図１に示す第１の実施形態に係るＸ線撮影システム１００と同様の構成については同じ符号を付している。また、図９では不図示であるが、本実施形態に係るＸ線撮影システム２００には、図１に示すＸ線発生制御部１３０、Ｘ線照射ボタン１４０、及び、システム制御部１５０も構成されているものとする。
【００８３】
本実施形態では、第１のＦＰＤ９２０−１（第１の放射線画像検出器）と第２のＦＰＤ９２０−２（第２の放射線画像検出器）を使って、被検体Ｈの複数の部位を円滑にＸ線撮影する形態である。なお、以下の説明において、第１のＦＰＤ９２０−１と第２のＦＰＤ９２０−２に共通する場合については、単に、「ＦＰＤ９２０」として説明を行う。
【００８４】
本実施形態では、１つのＸ線発生部１１０を移動させて、第１のＦＰＤ９２０−１及び第２のＦＰＤ９２０−２によるＸ線撮影を行う。
【００８５】
被検体Ｈは、ベッドに横たわって固定された状態となっている。第１のＦＰＤ９２０−１及び第２のＦＰＤ９２０−２は、被検体Ｈとベッドとの間に配設されている。第１の表示部９２１及び第２の表示部９２２は、それぞれ、第１のＦＰＤ９２０−１及び第２のＦＰＤ９２０−２の状態（活性化状態（Ｘ線検出可能状態（放射線検出可能状態））等）を表示するものである。本実施形態の第１のＦＰＤ９２０−１及び第２のＦＰＤ９２０−２は、それぞれ、図２に示す第１の実施形態における第１のＦＰＤ１２０−１及び第２のＦＰＤ１２０−２から、表示部１２５を取り除いた構成となっている。即ち、第１のＦＰＤ９２０−１とは別体で、図１に示す撮影準備完了表示部（レディランプ）１２０−１１及び無線通信状態表示部（リンクランプ）１２０−１２を含む第１の表示部９２１が設けられている。同様に、第２のＦＰＤ９２０−２とは別体で、図１に示す撮影準備完了表示部（レディランプ）１２０−２１及び無線通信状態表示部（リンクランプ）１２０−２２を含む第２の表示部９２２が設けられている。第１のＦＰＤ９２０−１と第１の表示部９２１との通信接続、及び、第２のＦＰＤ９２０−２と第１の表示部９２２との通信接続は、無線通信接続であっても有線通信接続であってもよい。この際、当該通信接続は、システム制御部１５０を介して接続される形態であってもよい。
【００８６】
本実施形態では、上述したように、表示部をＦＰＤ９２０から別体で構成している。これは、ＦＰＤ９２０が被検体Ｈの下部に隠れてしまうため、図１に示す撮影準備完了表示部（レディランプ）及び無線通信状態表示部（リンクランプ）が操作者から確認できなくなることを防ぐことを目的としている。
【００８７】
図９において、操作者は、第１のＦＰＤ９２０−１及び第２のＦＰＤ９２０−２を被検体Ｈの下部のそれぞれ所定の位置に予め配設し、最適な順序で適宜必要な部位のＸ線撮影を、Ｘ線発生部１１０を移動させながら行う。具体的に、第１のＦＰＤ９２０−１を用いたＸ線撮影を行う場合には、図９に示すＸ線発生部１１０の位置からＸ線１１１を被検体Ｈに対して照射させる。また、第２のＦＰＤ９２０−２を用いたＸ線撮影を行う場合には、図９に示すＸ線発生部１１０'の位置からＸ線１１１'を被検体Ｈに対して照射させる。
【００８８】
例えば、１つのＦＰＤ９２０のみを用いて被検体Ｈにおける複数の部位のＸ線撮影を行う場合には、Ｘ線撮影ごとに当該１つのＦＰＤ９２０の位置を変更する必要があり、操作者及び被検体Ｈに過度の負担がかかるとともに、Ｘ線撮影に時間がかかってしまう。
これに対して、本実施形態では、複数のＦＰＤ９２０を配設し、これらの相互通信によってＸ線撮影を行うため、操作者及び被検体Ｈに過度の負担を与えること無く、Ｘ線撮影を行うことができる。また、本実施形態も、上述した第１の実施形態と同様に、複数のＦＰＤ９２０のうちのいずれか一方を常に活性化状態とすることができるため、比較的迅速に連続して被検体Ｈの異なる部位のＸ線撮影が可能となる。
【００８９】
なお、図９に示すＸ線撮影システム２００では、複数の放射線画像検出器として、２つのＦＰＤ９２０−１〜９２０−２を設ける例が示されているが、本実施形態においてはこれに限定されるものではない。例えば、複数の放射線画像検出器として、３つ以上のＦＰＤ９２０が設けられている形態であってもよい。
【００９０】
また、図９には、１つのＸ線発生部１１０を移動させて、複数のＦＰＤ９２０によるＸ線撮影を行う例が示されているが、本実施形態においてはこれに限定されず、例えば、各ＦＰＤ９２０の数に対応して複数のＸ線発生部１１０を設けてもよい。
【００９１】
また、本実施形態では、第１の実施形態と同様に、ＦＰＤ９２０は、Ｘ線自動検知機能によってＸ線の検知と当該ＦＰＤ９２０内の２次元センサ１２４の駆動との同期を採る方式を想定しているが、以下の他の方式であってもよい。
例えば、別途、各ＦＰＤ９２０とＸ線発生部１１０とを配線もしくは通信手段によって通信可能に構成する。そして、各ＦＰＤ９２０は、Ｘ線発生部１１０から被検体ＨにＸ線１１１を照射するタイミングに係るタイミング情報を受信し、当該タイミング情報に基づいて被検体Ｈを透過したＸ線１１１を検出してＸ線画像データを生成する。即ち、各ＦＰＤ９２０とＸ線発生部１１０とを通信可能に構成することによって、各ＦＰＤ９２０は、Ｘ線１１１の検知のタイミングと当該各ＦＰＤ９２０内の２次元センサ１２４の駆動との同期を採る方式も採用可能である。また、上述した各ＦＰＤ９２０とＸ線発生部１１０との通信をシステム制御部１５０を介して行う形態も、同様の効果が得られる。
【００９２】
（第３の実施形態）
次に、本発明の第３の実施形態について説明する。
【００９３】
図１０は、本発明の第３の実施形態に係るＸ線撮影システム（放射線撮影システム）３００の概略構成の一例を示す図である。図１０において、図９に示す第２の実施形態に係るＸ線撮影システム２００と同様の構成については同じ符号を付している。また、図１０では不図示であるが、本実施形態に係るＸ線撮影システム３００には、図１に示すＸ線発生制御部１３０、Ｘ線照射ボタン１４０、及び、システム制御部１５０も構成されているものとする。
【００９４】
本実施形態では、１つのＸ線発生部１１０から、第１のＦＰＤ９２０−１及び第２のＦＰＤ９２０−２に対して同時にＸ線１１１を照射して、第１のＦＰＤ９２０−１及び第２のＦＰＤ９２０−２から同時にＸ線画像データを取得する。
【００９５】
本実施形態の場合、上述した図５に示すシーケンス図において、＜ｓ０１９＞で行う遅延時間Ｔ３の設定を０とするか、もしくは、第１のＦＰＤ９２０−１及び第２のＦＰＤ９２０−２が同時に同期して活性化状態（Ｘ線検出可能状態（放射線検出可能状態））になるように、時間Ｔ３を適応的に調整する。この場合、例えば、第２のＦＰＤ９２０−２は、第１のＦＰＤ９２０−１から活性化状態に遷移した旨の通知を受信すると、当該通知を受信するのと実質的に同時に活性化状態に遷移することになる。いずれにしても、操作者は、別体に設けられた表示部９２１及び９２２を確認し、第１のＦＰＤ９２０−１及び第２のＦＰＤ９２０−２が同時に活性化状態であることを確認して、Ｘ線発生部１１０からＸ線１１１を照射する操作を行う。
【００９６】
図１０において、Ｘ線発生部１１０からは、第１のＦＰＤ９２０−１及び第２のＦＰＤ９２０−２の２つのＦＰＤ９２０をカバーする範囲に同時にＸ線１１１が照射可能となっている。図１０に示す例では、１回のＸ線１１１の照射で２枚１組のＸ線画像データがシステム制御部１５０に送信されることになる。
【００９７】
そして、この場合、システム制御部１５０では、２枚１組のＸ線画像データに基づく２枚のＸ線画像を順次表示するか、２枚のＸ線画像を１枚に合成して合成Ｘ線画像（合成放射線画像）を生成して当該合成Ｘ線画像を表示する処理を行う。２枚のＸ線画像を１枚に合成する場合に特に有効なのは、人体の背骨や足骨などの広範囲のＸ線撮影を行う場合である。
【００９８】
なお、図１０に示すＸ線撮影システム３００では、複数の放射線画像検出器として、２つのＦＰＤ９２０−１〜９２０−２を設ける例が示されているが、本実施形態においてはこれに限定されるものではない。例えば、複数の放射線画像検出器として、３つ以上のＦＰＤ９２０が設けられている形態であってもよい。この場合、合成Ｘ線画像も１つに限らず、目的によって別の複数の合成Ｘ線画像を生成してもよい。
【００９９】
また、図１０には、１つのＸ線発生部１１０から複数のＦＰＤ９２０にＸ線１１１を照射してＸ線撮影を行う例が示されているが、本実施形態においてはこれに限定されず、例えば、各ＦＰＤ９２０の数に対応して複数のＸ線発生部１１０を設けてもよい。
【０１００】
本実施形態においては、複数のＦＰＤ９２０で得られた複数のＸ線画像データを、システム制御部１５０に対して実質的に同時に送信することが可能である。これは、例えば、無線ＬＡＮシステムにおけるパケット単位での時分割送信などで容易に実現可能である。この際、複数のＦＰＤ９２０で用いる無線チャンネル（周波数）を互いに干渉しない異なるものにすることにより、さらに効率よく複数のＸ線画像データを実質的に同時に送信できる。
【０１０１】
また、本実施形態においては、第１のＦＰＤ９２０−１と第１の表示部９２１との通信接続、及び、第２のＦＰＤ９２０−２と第１の表示部９２２との通信接続は、無線通信接続であっても有線通信接続であってもよい。この際、当該通信接続は、システム制御部１５０を介して接続される形態であってもよい。
【０１０２】
また、本実施形態では、第１の実施形態と同様に、ＦＰＤ９２０は、Ｘ線自動検知機能によってＸ線の検知と当該ＦＰＤ９２０内の２次元センサ１２４の駆動との同期を採る方式を想定しているが、以下の他の方式であってもよい。
例えば、別途、各ＦＰＤ９２０とＸ線発生部１１０とを配線もしくは通信手段によって通信可能に構成する。そして、各ＦＰＤ９２０は、Ｘ線発生部１１０から被検体ＨにＸ線１１１を照射するタイミングに係るタイミング情報を受信し、当該タイミング情報に基づいて被検体Ｈを透過したＸ線１１１を検出してＸ線画像データを生成する。即ち、各ＦＰＤ９２０とＸ線発生部１１０とを通信可能に構成することによって、各ＦＰＤ９２０は、Ｘ線１１１の検知のタイミングと当該各ＦＰＤ９２０内の２次元センサ１２４の駆動との同期を採る方式も採用可能である。また、上述した各ＦＰＤ９２０とＸ線発生部１１０との通信をシステム制御部１５０を介して行う形態も、同様の効果が得られる。
【０１０３】
（第４の実施形態）
次に、本発明の第４の実施形態について説明する。
【０１０４】
上述した第１の実施形態では、ＦＰＤ１２０がＸ線撮影システム１００の無線通信環境に入ることで自動的に当該ＦＰＤ１２０を登録するものであった。しかしながら、例えば、Ｘ線撮影システム１００が複数存在し、それぞれの無線通信環境が重なっている場合には、ＦＰＤ１２０の登録が困難になる。また、あるＦＰＤ１２０自体がどのＸ線撮影システム１００に属し、どのような検査対象のＸ線撮影を行うかが不明になる場合も想定される。そこで、本実施形態では、これらの不具合を解消すべく、ＦＰＤ１２０の構成を工夫することにした。
【０１０５】
ここで、第４の実施形態に係るＸ線撮影システム（放射線撮影システム）の概略構成は、図１に示す第１の実施形態に係るＸ線撮影システム（放射線撮影システム）１００の概略構成と同様である。
【０１０６】
図１１は、本発明の第４の実施形態を示し、図１に示すＦＰＤ１２０の概略構成の一例を示す図である。
【０１０７】
本実施形態におけるＦＰＤ１２０は、図１１に示すように、撮影準備完了表示部（レディランプ）１１１０、無線通信状態表示部（リンクランプ）１１２０、ＦＰＤ状態表示部１１３０、選択ボタン１１４０、電源ＳＷ１１５０、及び、キャンセルボタン１１６０を有して構成されている。
【０１０８】
撮影準備完了表示部（レディランプ）１１１０は、当該ＦＰＤ１２０がＸ線撮影可能な状態であるか否かを、例えば点灯の可否によって示すものである。この撮影準備完了表示部（レディランプ）１１１０は、図１に示す撮影準備完了表示部（レディランプ）１２０−１１及び１２０−２１と同様の構成である。
無線通信状態表示部（リンクランプ）１１２０は、当該ＦＰＤ１２０の無線通信状態を、例えば点灯の可否によって示すものである。この無線通信状態表示部（リンクランプ）１１２０は、図１に示す無線通信状態表示部（リンクランプ）１２０−１２及び１２０−２２と同様の構成である。
ＦＰＤ状態表示部１１３０は、当該ＦＰＤ１２０の状態を表示するものである。このＦＰＤ状態表示部１１３０は、接続可能なＸ線撮影システムをＳＳＩＤ１〜ＳＳＩＤ３で示す第１のＦＰＤ状態表示領域１１３１と、現在の撮影対象を確認するための第２のＦＰＤ状態表示領域１１３２を有して構成されている。第１のＦＰＤ状態表示領域１１３１は、ＳＳＩＤ１〜ＳＳＩＤ３のうちのいずれか１つを選択可能に構成されている。第２のＦＰＤ状態表示領域１１３２には、第１のＦＰＤ状態表示領域１１３１で選択されたＸ線撮影システムから送信されるＸ線撮影検査に関する情報が表示される。具体的に、第２のＦＰＤ状態表示領域１１３２には、対応検査ＩＤ、患者名、検査名称、撮影部位などの情報が表示され、操作者は、これらの情報をＸ線撮影前に見ることにより、Ｘ線撮影に間違いが無いことを容易に確認できる。この第２のＦＰＤ状態表示領域１１３２を有するＦＰＤ状態表示部１１３０は、検査情報表示部の機能を有する。
選択ボタン１１４０は、ＦＰＤ１２０の状態設定を行うためのボタンである。
電源ＳＷ１１５０は、電源１２３のオン／オフを切り替えるためのスイッチである。
キャンセルボタン１１６０は、当該ＦＰＤ１２０をＸ線撮影の対象から外すためのボタンである。即ち、キャンセルボタン１１６０は、現在の撮影対象や現在のＸ線撮影システムが所望のものではない場合に操作者によって操作され、キャンセルボタン１１６０を操作することによって、Ｘ線撮影システムへの通信接続を切断することができる。
ここで、例えば、図２に示す表示部１２５から、図１１に示す撮影準備完了表示部（レディランプ）１１１０、及び、無線通信状態表示部（リンクランプ）１１２０が構成される。また、例えば、図２に示す表示部１２５及び操作部１２６から、ＦＰＤ状態表示部１１３０が構成される。また、例えば、図２に示す操作部１２６から、選択ボタン１１４０、電源ＳＷ１１５０、及び、キャンセルボタン１１６０が構成される。
【０１０９】
操作者は、撮影準備完了表示部（レディランプ）１１１０、及び、無線通信状態表示部（リンクランプ）１１２０を確認してＸ線撮影を行うが、当該ＦＰＤ１２０が現在どのＸ線撮影システムに接続しているのかを第１のＦＰＤ状態表示領域１１３１の表示で確認することができ、所望のＸ線撮影システムではない場合、第１のＦＰＤ状態表示領域１１３１において所望の接続先を選択できる仕組みとなっている。
【０１１０】
図１１に示す例では、ＦＰＤ１２０の一構成としてＦＰＤ状態表示部１１３０が設けられているが、本実施形態においてはこれに限定されるものではない。例えば、ＦＰＤ１２０と同期した別体でＦＰＤ状態表示部１１３０を構築することも、本実施形態に適用可能である。
【０１１１】
（第５の実施形態）
次に、本発明の第５の実施形態について説明する。
【０１１２】
図１２は、本発明の第５の実施形態に係るＸ線撮影システム（放射線撮影システム）の概略構成の一例を示す図である。図１２において、図１に示す第１の実施形態に係るＸ線撮影システム１００と同様の構成については同じ符号を付している。また、図１２では不図示であるが、本実施形態に係るＸ線撮影システムには、例えば、図１に示すＸ線発生部１１０、Ｘ線発生制御部１３０、及び、Ｘ線照射ボタン１４０も構成されているものとする。
【０１１３】
本実施形態は、１つのＸ線撮影システムで同時に複数の検査ＩＤに対応したＸ線撮影を行う形態である。図１２に示す例では、ある１つのＸ線撮影システムに対して、３つの検査要求（検査ＩＤ１、検査ＩＤ２、検査ＩＤ３）がなされた場合を想定しており、当該Ｘ線撮影システムに接続されている６つのＦＰＤ１２０−１〜１２０−６を用いてＸ線撮影を行う。
【０１１４】
図１２には、システム制御部１５０と、複数の検査ＩＤ１〜ＩＤ３に対応した複数のＦＰＤ１２０−１〜１２０−６が示されている。図１２に示す例では、システム制御部１５０は、６つのＦＰＤ１２０−１〜１２０−６を２つずつの３グループに分け、グループごとに、別個の異なる検査ＩＤ（検査ＩＤ１、検査ＩＤ２、検査ＩＤ３）を割り当てて、当該割り当てた検査ＩＤを送信している。具体的に、図１２に示す例では、ＦＰＤ１２０−１〜１２０−２のグループを検査ＩＤ１に割り当て、ＦＰＤ１２０−３〜１２０−４のグループを検査ＩＤ２に割り当て、ＦＰＤ１２０−５〜１２０−６のグループを検査ＩＤ３に割り当てている。
【０１１５】
具体的なＸ線撮影システムの動作については、上述した第１の実施形態と同様であるが、この場合、どのＦＰＤ１２０がどの検査ＩＤに対応しているのかを明確にするために、上述した第４の実施形態で説明したＦＰＤ１２０がより好適に用いられる。
【０１１６】
本実施形態の場合、各グループ内でのＦＰＤ１２０同士が適宜通信を行うことにより、Ｘ線撮影の効率が最適になるように、活性化状態持続時間Ｔ１、待機状態持続時間Ｔ２、遅延時間Ｔ３等を適応的に調整する。
【０１１７】
また、本実施形態に係るシステム制御部１５０は、各ＦＰＤ１２０から取得したＸ線画像データを、割り当てた検査ＩＤごとに管理する。具体的に、システム制御部１５０は、各ＦＰＤ１２０から取得したＸ線画像データを検査ＩＤごとに固有のフォルダに保管して管理する。
【０１１８】
（第６の実施形態）
次に、本発明の第６の実施形態について説明する。
【０１１９】
図１３は、本発明の第６の実施形態に係るＸ線撮影システム（放射線撮影システム）６００の概略構成の一例を示す図である。図１３において、図１に示す第１の実施形態に係るＸ線撮影システム１００と同様の構成については同じ符号を付している。
【０１２０】
本実施形態に係るＸ線撮影システム６００は、図１３に示すように、実質的に同時にＸ線照射可能な複数のＸ線発生部（放射線発生部）１１０を配設した構成となっている。具体的には、２つのＦＰＤ１２０−１〜１２０−２に対応した、２つのＸ線発生部１１０−１〜１１０−２が設けられている。ここで、第１のＸ線発生部１１０−１は、被検体ＨにＸ線１１１−１を照射するものであり、第２のＸ線発生部１１０−２は、被検体ＨにＸ線１１１−２を照射するものである。
【０１２１】
Ｘ線発生部１１０−１〜１１０−２は、被検体Ｈを介してＦＰＤ１２０−１〜１２０−２に実質的に同時にＸ線照射を行う。この場合、Ｘ線発生部１１０−１〜１１０−２からのＸ線１１１−１〜１１１−２は、被検体Ｈである人体の同じ部位に照射されるが、第１のＦＰＤ１２０−１及び第２のＦＰＤ１２０−２は被検体Ｈの異なる位置に配置されているため、第１のＦＰＤ１２０−１及び第２のＦＰＤ１２０−２には、それぞれ異なる方向から照射されたＸ線が入射する。そして、第１のＦＰＤ１２０−１及び第２のＦＰＤ１２０−２では、実質的に同時にＸ線画像データが生成され、システム制御部１５０に送信される。この図１３に示すＸ線撮影システム６００の構成により、異なる方向からの２つのＸ線画像を用いるステレオＸ線撮影（ステレオ放射線撮影）が実現できる。
【０１２２】
本実施形態の場合、モニタ１５０ｃは、１組２枚のステレオＸ線画像を実質的に同時に表示するステレオディスプレイであり、操作者の両眼それぞれに対して独立にＸ線画像を投影可能である。
【０１２３】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
このプログラム及び当該プログラムを記憶したコンピュータ読み取り可能な記録媒体は、本発明に含まれる。
【０１２４】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１２５】
１００  Ｘ線撮影システム、１１０  Ｘ線発生部、１１１  Ｘ線、１２０−１  第１のＦＰＤ、１２０−２  第２のＦＰＤ、１３０  Ｘ線発生制御部、１４０  Ｘ線照射ボタン、１５０  システム制御部、１５０ａ  ＰＣ、１５０ｂ  アクセスポイント、１５０ｃ  モニタ、Ｈ  被検体
【図１】
2015126806.tif 000003
【図２】
2015126806.tif 000004
【図３】
2015126806.tif 000005
【図４】
2015126806.tif 000006
【図５】
2015126806.tif 000007
【図６】
2015126806.tif 000008
【図７】
2015126806.tif 000009
【図８】
2015126806.tif 000010
【図９】
2015126806.tif 000011
【図１０】
2015126806.tif 000012
【図１１】
2015126806.tif 000013
【図１２】
2015126806.tif 000014
【図１３】
2015126806.tif 000015